【手続補正書】
【提出日】平成18年2月21日(2006.2.21)
【手続補正１】
【補正対象書類名】明細書
【補正対象項目名】特許請求の範囲
【補正方法】変更
【補正の内容】
【特許請求の範囲】
【請求項１】  ハウジングと、
前記ハウジングに取り付けられ、特定の試験試料に対し特異な応答を出す少なくとも２個のセンサを含むセンサモジュールと、
前記ハウジングと前記センサモジュールの一方または両方で画定された試料室であって、該試料室に入口ポートと出口ポートが組み込まれており、該試料室内またはこれに隣接して前記少なくとも２個のセンサが配置される試料室と、
前記ハウジングに取り付けられ、前記少なくとも２個のセンサからの特定の応答を分析するよう構成されたマイクロプロセッサであって、前記少なくとも２個のセンサからの特定の応答に基づき試験試料内のアナライトを同定または定量化するマイクロプロセッサと、
を具備した手持ち式感知装置。
【請求項２】  前記ハウジングに取り付けられ、特定の試験試料を入口ポートから出口ポートまで前記試料室内を通すよう構成されたポンプを更に具備した請求項１に記載の手持ち式感知装置。
【請求項３】  前記特定の応答は、特定の試験試料への露出による前記少なくとも２個のセンサの抵抗の変化を示す１組の信号を含む請求項１に記載の手持ち式感知装置。
【請求項４】  前記ハウジングに取り付けられ、前記少なくとも２個のセンサからの特異な応答を検出して該特異な応答に対応する感知された信号を出力するよう構成された測定回路を更に具備した請求項１に記載の手持ち式感知装置。
【請求項５】  前記測定回路はシグマ−デルタコンバータを含む請求項４に記載の手持ち式感知装置。
【請求項６】  前記マイクロプロセッサは前記少なくとも２個のセンサから前記特異な応答を受けて対応する署名を生成する請求項１に記載の手持ち式感知装置。
【請求項７】  複数の基準試料について複数の基準署名を集め、前記特定の試験試料について試料署名を生成し、前記マイクロプロセッサは前記試料署名を前記複数の基準署名と比較して前記特定の試験試料を同定するよう構成される請求項６に記載の手持ち式感知装置。
【請求項８】  前記ハウジングに取り付けられ、基準試料または未知の試験試料を前記試料室に通すよう構成されたバルブを更に具備した請求項１に記載の手持ち式感知装置。
【請求項９】  前記基準試料は予め調整されている請求項８に記載の手持ち式感知装置。
【請求項１０】  前記基準試料は複数の基準試料から選ばれる請求項８に記載の手持ち式感知装置。
【請求項１１】  前記試料室は、入口ポートと出口ポートを除いて外部環境から密封されている請求項１に記載の手持ち式感知装置。
【請求項１２】  プレコンセントレータを更に具備した請求項１に記載の手持ち式感知装置。
【請求項１３】  前記少なくとも２個のセンサの温度を制御する熱制御回路を更に具備した請求項１に記載の手持ち式感知装置。
【請求項１４】  前記センサモジュールのセンサの少なくとも１個が伝導／非伝導領域センサ、ＳＡＷセンサ、クオーツマイクロバランスセンサ、伝導複合センサ、ケミレジスタ、金属酸化物ガスセンサ、有機ガスセンサ、ＭＯＳＦＥＴ、圧電装置、赤外線センサ、燒結金属酸化物センサ、ＰｄゲートＭＯＳＦＥＴ、金属ＦＥＴ構造物、電気化学セル、伝導ポリマセンサ、触媒ガスセンサ、有機半導体ガスセンサ、固体電解ガスセンサ、および圧電クオーツクリスタルセンサからなるグループから選ばれた部材である請求項１に記載の手持ち式感知装置。
【請求項１５】  前記センサモジュールのセンサの少なくとも１個が伝導／非伝導領域センサである請求項１４に記載の手持ち式感知装置。
【請求項１６】  前記センサモジュールのセンサの少なくとも１個がＳＡＷセンサである請求項１４に記載の手持ち式感知装置。
【請求項１７】  前記センサモジュールが複数のセンサアレイ装置を含み、各センサアレイ装置がセンサのアレイを含む請求項１に記載の手持ち式感知装置。
【請求項１８】  受容部分を含むハウジングと、
前記ハウジングの受容部分に取り外し可能に取り付けられたセンサモジュールであって、試験試料に対し特異な応答を提供する少なくとも２個のセンサを含むセンサモジュールと、
前記センサモジュール内に画定された試料室であって、該試料室に入口および出口ポートが組み込まれており、前記少なくとも２個のセンサが該試料室内またはこれに隣接して配置される試料室と、
前記ハウジングに取り付けられ、前記少なくとも２個のセンサからの特定の応答を分析するよう構成されたマイクロプロセッサであって、前記特定の応答に基づき試験試料内のアナライトを同定または定量化するマイクロプロセッサと、
を具備した手持ち式感知装置。
【請求項１９】  １個以上の追加のセンサモジュールを更に具備し、各センサモジュールがそれぞれ受容部分に取り外し可能に取り付けられるようかつ少なくとも１個のセンサが組み込まれるよう構成され、各センサモジュールが異なる試料のセットにそれぞれ１組の応答を提供するよう構成される請求項１８に記載の手持ち式感知装置。
【請求項２０】  取り外し可能に取り付けられたセンサモジュールがそれぞれセンサモジュールを識別するための識別子を含み、前記マイクロプロセッサは受容部分に受けられた特定のセンサモジュールに含まれる識別子を決定するよう構成される請求項１９に記載の手持ち式感知装置。
【請求項２１】  受容部分を画定するハウジング内に配置された感知装置と共に用いるよう構成されたセンサモジュールであって、該センサモジュールは、
前記感知装置の受容部分に受けられるサイズおよび構成のケーシングと、
試料室と、
センサモジュールが受容部分に受けられたとき、前記感知装置の第１のポート接続部と解放可能に係合可能に構成された入口ポートであって、前記感知装置から試験試料を受けて該試験試料を前記試料室に向ける入口ポートと、
前記試料室から前記試験試料を放出するよう構成された出口ポートと、
前記試料室内またはこれに隣接して配置され、試料室内の１個以上のアナライトに曝されたときに特異な応答を発するよう構成された少なくとも１個のセンサと、
前記センサモジュールが受容部分に受けられたとき、前記感知装置の接合相手の電気コネクタと解放可能に係合可能なように構成された電気コネクタであって、前記少なくとも１個のセンサからの信号を前記感知装置に送信する電気コネクタと、
を具備したセンサモジュール。
【請求項２２】  前記出口ポートは、前記センサモジュールが前記感知装置の受容部分に受けられたとき、感知装置の第２のポート接続部と解放可能に係合可能なように構成され、該出口ポートは前記試料室から試験試料を感知装置に放出する請求項２１に記載のセンサモジュール。
【請求項２３】  前記ケーシングに、前記入口ポート、前記出口ポート、および前記電気コネクタを支持する後部壁が組み込まれている請求項２２に記載のセンサモジュール。
【請求項２４】  複数のセンサが取り付けられる基板を更に具備した請求項２１に記載のセンサモジュール。
【請求項２５】  前記少なくとも１個のセンサのそれぞれが、１個以上の指定の試験試料に曝されたとき、独自の方法で変化する抵抗を有する化学的感知レジスタによって具現化され、
前記感知装置は、前記少なくとも１個のセンサの１組の抵抗を検出して該検出した１組の抵抗に基づいて試験試料を同定するマイクロプロセッサを含む
請求項２１に記載のセンサモジュール。
【請求項２６】  試料室内の１個以上のアナライトの濃度を測定するための手持ち式感知装置において、
少なくとも２個の化学的感知レジスタであって、各化学的感知レジスタは前記試料室内の１個以上のアナライトの濃度に応じて変化する抵抗を有する化学的感知レジスタと、
前記少なくとも２個の化学的感知レジスタに連結された調整回路であって、前記少なくとも２個の化学的感知レジスタのそれぞれの抵抗を示すアナログ信号を生成する調整回路と、
前記調整回路に連結されたアナログ・デジタル・コンバータ（ＡＤＣ）であって、前記アナログ信号に対応してデジタル信号を発するＡＤＣと、
前記ＡＤＣに連結されたマイクロプロセッサであって、前記デジタル信号に対応して前記試料室内の１個以上のアナライトの同一性または濃度を決定するマイクロプロセッサと、
を具備した手持ち式感知装置。
【請求項２７】  前記調整回路は１組の電圧ディバイダネットワークを含み、前記少なくとも２個の化学的感知レジスタのそれぞれに対し１個のネットワークが設けられ、各ネットワークがアナログ電圧を提供する請求項２６に記載の手持ち式感知装置。
【請求項２８】  前記１組の電圧ディバイダネットワークに連結された少なくとも１個のマルチプレクサであって、前記１組の電圧ディバイダネットワークからのアナログ電圧をＡＤＣに連結するマルチプレクサを更に具備した請求項２６に記載の手持ち式感知装置。
【請求項２９】  少なくとも１個のアンプであって、各アンプは１個のマルチプレクサと前記ＡＤＣとの間に連結されるアンプを更に具備した請求項２８に記載の手持ち式感知装置。
【請求項３０】  温度プローブを更に具備した請求項１に記載の手持ち式感知装置。
【請求項３１】  複数の温度プローブを更に具備した請求項１に記載の手持ち式感知装置。
【請求項３２】  湿度プローブを更に具備した請求項１に記載の手持ち式感知装置。
【請求項３３】  前記試験試料が流体である請求項１に記載の手持ち式感知装置。
【請求項３４】  前記流体が蒸気である請求項３３に記載の手持ち式感知装置。
【請求項３５】  前記センサモジュールのセンサの少なくとも１個が有機半導体ガスセンサである請求項１４に記載の手持ち式感知装置。
【請求項３６】  前記マイクロプロセッサがデジタルシグナルプロセッサ（ＤＳＰ）である請求項１に記載の手持ち式感知装置。
【請求項３７】  前記マイクロプロセッサが特定用途集積回路（ＡＳＩＣ）である請求項１に記載の手持ち式感知装置。
【請求項３８】  前記マイクロプロセッサがコントローラである請求項１に記載の手持ち式感知装置。
【手続補正２】
【補正対象書類名】明細書
【補正対象項目名】００１１
【補正方法】変更
【補正の内容】
【００１１】
本発明のある実施例は、ハウジング、センサモジュール、試料室および分析器を含む手持ち式感知装置を提供する。センサモジュールと分析器はハウジングに取り付けられる。センサモジュールは、試験試料中に存在するアナライトの測定、同定（検出および／または分類等）、または定量化に用いることのできる特異な又は異なる特性または署名応答を提供する少なくとも２個のセンサを含む。試料室は、ハウジングまたはセンサモジュール、またはその両方により画定され、入口ポートと出口ポートが組み込まれる。センサは試料室内またはこれに隣接して配置される。分析器は、センサからの特定の応答を分析し、特定の応答に基づき試験試料内のアナライトを同定または定量化するよう構成される。
上記実施例の変更例では、手持ち式感知装置のハウジングは受容部分又はソケットを含み、センサモジュールはハウジングのソケットに取り外し可能に取り付けられる。この実施例では、センサモジュールは１個以上のセンサを含むことができる。